(57)【要約】  クライアントプロビジョニングのための方法、装置、システム、プログラム製品及びコンピュータに実装される方法が開示される。装置は、装置構成情報を受信するように構成された受信器を備えている。この構成情報は、設定を表わす１つ以上のリンクを備えている。又、装置は、第２の設定を表わすリンクにより第１の設定を識別するように適応されるプロセッサも備えている。【選択図】図５
2008510332.tif 000002
【特許請求の範囲】
【請求項１】
設定を表わす１つ以上のリンクを含む装置構成情報を送信するステップと、
第２の設定を表わすリンクにより第１の設定を識別するステップと、
を備えたクライアントプロビジョニング方法。
【請求項２】
前記第１設定及び第２設定はアプリケーション設定である、請求項１に記載の方法。
【請求項３】
前記構成情報は、少なくとも１つの特性テンプレートを有するプロビジョニングコンテンツドキュメントである、請求項１に記載の方法。
【請求項４】
前記特性テンプレートは、アプリケーション特性テンプレートである、請求項３に記載の方法。
【請求項５】
１つ以上の特性を含むプロビジョニングコンテンツドキュメントを解析するステップを更に備えた、請求項３に記載の方法。
【請求項６】
リンクは構成設定のチェーンを表わす、請求項１に記載の方法。
【請求項７】
リンクは特性に対する独特の識別子を表わす、請求項１に記載の方法。
【請求項８】
リモート構成されるように適応される装置において、
設定を表わす１つ以上のリンクを含む装置構成情報を受信するように構成された受信器と、
第２の設定を表わすリンクにより第１の設定を識別するよう適応されるプロセッサと、
を備えた装置。
【請求項９】
前記第１設定及び第２設定はアプリケーション設定である、請求項８に記載の装置。
【請求項１０】
前記構成情報は、少なくとも１つの特性テンプレートを有するプロビジョニングコンテンツドキュメントである、請求項８に記載の装置。
【請求項１１】
前記特性テンプレートは、アプリケーション特性テンプレートである、請求項１０に記載の装置。
【請求項１２】
前記プロビジョニングコンテンツドキュメントを解析するためのパーサを更に備えた、請求項１０に記載の装置。
【請求項１３】
前記パーサは前記プロセッサと一体である、請求項１２に記載の装置。
【請求項１４】
リンクは構成設定のチェーンを表わす、請求項８に記載の装置。
【請求項１５】
リンクは特性に対する独特の識別子を表わす、請求項８に記載の装置。
【請求項１６】
前記装置は携帯装置である、請求項８に記載の装置。
【請求項１７】
前記装置は携帯電話を含む、請求項１６に記載の装置。
【請求項１８】
通信ネットワークを通して構成情報を送信するように適応されるサーバーコンピュータと、
クライアント装置のための前記構成情報を受信するように適応されるクライアント装置であって、前記構成情報は、設定を表わす１つ以上のリンクを含み、更に、第２の設定を表わすリンクにより第１の設定を識別するように適応されるクライアント装置と、
を備えたクライアントプロビジョニングシステム。
【請求項１９】
前記第１設定及び第２設定はアプリケーション設定である、請求項１８に記載のシステム。
【請求項２０】
前記構成情報は、少なくとも１つの特性テンプレートを有するプロビジョニングコンテンツドキュメントである、請求項１８に記載のシステム。
【請求項２１】
前記特性テンプレートは、アプリケーション特性テンプレートである、請求項２０に記載のシステム。
【請求項２２】
リンクは構成設定のチェーンを表わす、請求項１８に記載のシステム。
【請求項２３】
リンクは特性に対する独特の識別子を表わす、請求項１８に記載のシステム。
【請求項２４】
前記装置は携帯装置である、請求項１８に記載のシステム。
【請求項２５】
前記装置は携帯電話を含む、請求項２４に記載のシステム。
【請求項２６】
前記通信ネットワークはワイヤレスネットワークである、請求項２４に記載のシステム。
【請求項２７】
設定を表わす１つ以上のリンクを含む装置構成情報を受信し、そして
第２の設定を表わすリンクにより第１の設定を識別する、
ことをマシンが遂行するようにさせるためのマシン読み取り可能なプログラムコードを備えたプログラム製品。
【請求項２８】
前記第１設定及び第２設定はアプリケーション設定である、請求項２７に記載のプログラム製品。
【請求項２９】
前記構成情報は、少なくとも１つの特性テンプレートを有するプロビジョニングコンテンツドキュメントである、請求項２７に記載のプログラム製品。
【請求項３０】
前記特性テンプレートは、アプリケーション特性テンプレートである、請求項２９に記載のプログラム製品。
【請求項３１】
リンクは構成設定のチェーンを表わす、請求項２７に記載のプログラム製品。
【請求項３２】
リンクは特性に対する独特の識別子を表わす、請求項２７に記載のプログラム製品。
【請求項３３】
設定を表わす１つ以上のリンクを含む装置構成情報を受信するステップと、
第２の設定を表わすリンクにより第１の設定を識別するステップと、
を備えたコンピュータに実装される方法。
【請求項３４】
前記第１設定及び第２設定はアプリケーション設定である、請求項３３に記載のコンピュータに実装される方法。
【請求項３５】
前記構成情報は、少なくとも１つの特性テンプレートを有するプロビジョニングコンテンツドキュメントである、請求項３３に記載のコンピュータに実装される方法。
【請求項３６】
前記特性テンプレートは、アプリケーション特性テンプレートである、請求項３５に記載のコンピュータに実装される方法。
【請求項３７】
リンクは構成設定のチェーンを表わす、請求項３３に記載のコンピュータに実装される方法。
【請求項３８】
リンクは特性に対する独特の識別子を表わす、請求項３３に記載のコンピュータに実装される方法。
【請求項３９】
設定を表わす１つ以上のリンクを含む装置構成情報を含む少なくとも１つのアプリケーション特性テンプレートを有するプロビジョニングコンテンツドキュメントを送信するステップと、
第２の設定を表わすリンクにより第１の設定を識別するステップであって、これら第１の設定及び第２の設定がアプリケーション設定であるようなステップと、
を備えたクライアントプロビジョニング方法。
【請求項４０】
リモート構成されるように適応される装置において、
設定を表わす１つ以上のリンクを含む装置構成情報を含む少なくとも１つのアプリケーション特性テンプレートを有するプロビジョニングコンテンツドキュメントを受信するように構成された受信器と、
第２の設定を表わすリンクにより第１の設定を識別するように適応されるプロセッサであって、これら第１の設定及び第２の設定がアプリケーション設定であるようなプロセッサと、
を備えた装置。
【請求項４１】
通信ネットワークを通して構成情報を含む少なくとも１つのアプリケーション特性テンプレートを有するプロビジョニングコンテンツドキュメントを送信するように適応されたサーバーコンピュータであって、前記構成情報が設定を表わす１つ以上のリンクを含むようなサーバーコンピュータと、
クライアント装置のための前記プロビジョニングコンテンツドキュメント及び前記構成情報を受信するように適応されるクライアント装置であって、このクライアント装置は、第２の設定を表わすリンクにより第１の設定を識別するように適応され、これら第１の設定及び第２の設定がアプリケーション設定であるようなクライアント装置と、
を備えたクライアントプロビジョニングシステム。
【請求項４２】
設定を表わす１つ以上のリンクを含む装置構成情報を含む少なくとも１つのアプリケーション特性テンプレートを有するプロビジョニングコンテンツドキュメントを受信するステップと、
第２の設定を表わすリンクにより第１の設定を識別するステップであって、これら第１の設定及び第２の設定がアプリケーション設定であるようなステップと、
をマシンが遂行するようにさせるためのマシン読み取り可能なプログラムコードを備えたプログラム製品。
【請求項４３】
設定を表わす１つ以上のリンクを含む装置構成情報を含む少なくとも１つのアプリケーション特性テンプレートを有するプロビジョニングコンテンツドキュメントを受信するステップと、
第２の設定を表わすリンクにより第１の設定を識別するステップであって、これら第１の設定及び第２の設定がアプリケーション設定であるようなステップと、
を備えたコンピュータに実装される方法。
【発明の詳細な説明】
【技術分野】
【０００１】
本発明は、携帯装置のリモート構成に係る。より詳細には、本発明は、アプリケーション特性設定セットのより正確な識別を容易にするためのリンクを伴うクライアントプロビジョニングを提供する。
【背景技術】
【０００２】
クライアントプロビジョニング(Client Provisioning)とは、ユーザに代わって携帯装置のリモート構成を実行するために、通信事業者、装置製造者及びコーポレートＩＴ（情報技術）部門により使用される技術である。ＯＭＡ（オープン・モバイル・アリアンス）クライアントプロビジョニングは、プロビジョニングコンテンツドキュメントの形態でクライアントへプロビジョニング情報を送信することに基づいたプロビジョニング標準規格である。ＯＭＡプロビジョニングコンテンツドキュメントは、特性と称される多数の部分に分割される。これらの特性は、ＰＸＬＯＧＩＣＡＬ、ＮＡＰＤＥＦ、ＢＯＯＴＳＴＲＡＰ、ＣＬＩＥＮＴＩＤＥＮＴＩＴＹ、ＶＥＮＤＯＲＣＯＮＦＩＧ、ＡＰＰＬＩＣＡＴＩＯＮ及びＡＣＣＥＳＳを含む。ＡＰＰＬＩＣＡＴＩＯＮ特性は、アプリケーションプロトコルパラメータを定義すると共に、プロトコルを使用して使用できるアプリケーションサービスアクセスポイントの属性を記述するのに使用される。異なるアプリケーションが異なるパラメータセットを要求し、そして現在のプロビジョニングコンテンツドキュメントテンプレートは、全アプリケーションの要件を満足することができない。
【０００３】
プロビジョニングコンテンツドキュメントにおけるＡＰＰＬＩＣＡＴＩＯＮ特性テンプレートは、接続レベル設定を識別するのに使用される。ＡＰＰＬＩＣＡＴＩＯＮ特性に対する現在テンプレートでは、アプリケーション設定のコンテクストがパラメータＰＲＯＶＩＤＥＲ−ＩＤにより識別される。しかしながら、携帯装置が、同じＰＲＯＶＩＤＥＲ−ＩＤで同じ形式の多数のアプリケーション設定を含む場合には、ＡＰＰＬＩＣＡＴＩＯＮ特性に含まれる希望の設定を正確に定義することができない。
【発明の開示】
【発明が解決しようとする課題】
【０００４】
従って、プロビジョニングコンテンツドキュメントの特性で指示されたアプリケーション設定をより正確に識別することが要望される。
【課題を解決するための手段】
【０００５】
本発明は、ＡＰＰＬＩＣＡＴＩＯＮ特性テンプレートを通して設けられる拡張リンクと共にプロビジョニングコンテンツドキュメントを使用してクライアントプロビジョニングを行なう方法、装置、システム、プログラム製品、及びコンピュータに実装される方法に向けられる。
【０００６】
一実施形態において、クライアントプロビジョニング方法は、装置の構成情報を送信することを含む。この構成情報は、設定を表わす１つ以上のリンクを含む。又、この方法は、第２の設定を表わすリンクにより第１の設定を識別することも含む。
【０００７】
別の実施形態において、リモート構成されるように適応された装置が開示される。この装置は、設定を表わす１つ以上のリンクを含む装置構成情報を受信するように構成された受信器を備えている。又、この装置は、第２の設定を表わすリンクにより第１の設定を識別するように適応されるプロセッサも備えている。
【０００８】
更に別の実施形態において、クライアントプロビジョニングシステムは、通信ネットワークを通して構成情報を送信するように適応されるサーバーコンピュータと、クライアント装置のための構成情報を受信するように適応されるクライアント装置とを備えている。構成情報は、設定を表わす１つ以上のリンクを含む。クライアント装置は、更に、第２の設定を表わすリンクにより第１の設定を識別するように適応される。
【０００９】
本発明の別の実施形態は、設定を表わす１つ以上のリンクを含む装置構成情報を受信し、そして第２の設定を表わすリンクにより第１の設定を識別する、ことをマシンが遂行するようにさせるためのマシン読み取り可能なプログラムコードを有するプログラム製品を包含する。
【００１０】
別の実施形態において、コンピュータに実装される方法は、設定を表わす１つ以上のリンクを含む装置構成情報を受信することを含む。又、コンピュータに実装される方法は、第２の設定を表わすリンクにより第１の設定を識別することも含む。
【００１１】
別の実施形態において、クライアントプロビジョニング方法は、装置の構成情報を含む少なくとも１つのアプリケーション特性テンプレートを有するプロビジョニングコンテンツドキュメントを送信することを含む。構成情報は、設定を表わす１つ以上のリンクを含む。又、この方法は、第２の設定を表わすリンクにより第１の設定を識別することも含む。これら第１の設定及び第２の設定は、アプリケーション設定である。
【００１２】
別の実施形態において、リモート構成されるように適応される装置は、装置の構成情報を含む少なくとも１つのアプリケーション特性テンプレートを有するプロビジョニングコンテンツドキュメントを受信するように構成された受信器を備えている。構成情報は、設定を表わす１つ以上のリンクを含む。又、この装置は、第２の設定を表わすリンクにより第１の設定を識別するように適応されるプロセッサも備えている。これら第１の設定及び第２の設定は、アプリケーション設定である。
【００１３】
別の実施形態において、クライアントプロビジョニングシステムは、通信ネットワークを通して構成情報を含む少なくとも１つのアプリケーション特性テンプレートを有するプロビジョニングコンテンツドキュメントを送信するように適応されたサーバーコンピュータを備えている。構成情報は、設定を表わす１つ以上のリンクを含む。又、このシステムは、クライアント装置のためのプロビジョニングコンテンツドキュメント及び構成情報を受信するように適応されるクライアント装置も備えている。このクライアント装置は、更に、第２の設定を表わすリンクにより第１の設定を識別するように適応される。これら第１の設定及び第２の設定は、アプリケーション設定である。
【００１４】
本発明の別の実施形態は、設定を表わす１つ以上のリンクを含む装置構成情報を含む少なくとも１つのアプリケーション特性テンプレートを有するプロビジョニングコンテンツドキュメントを受信するステップと、第２の設定を表わすリンクにより第１の設定を識別するステップであって、これら第１の設定及び第２の設定がアプリケーション設定であるようなステップと、をマシンが遂行するようにさせるためのマシン読み取り可能なプログラムコードを含むプログラム製品を包含する。
【００１５】
別の実施形態において、コンピュータに実装される方法は、設定を表わす１つ以上のリンクを含む装置構成情報を含む少なくとも１つのアプリケーション特性テンプレートを有するプロビジョニングコンテンツドキュメントを受信するステップと、第２の設定を表わすリンクにより第１の設定を識別するステップであって、これら第１の設定及び第２の設定がアプリケーション設定であるようなステップと、を備えている。
【００１６】
本発明の他の原理的特徴及び効果は、当業者であれば、添付図面、以下の詳細な説明、及び特許請求の範囲から容易に明らかとなろう。
【００１７】
以下、添付図面を参照して、本発明の実施形態を詳細に説明する。
【発明を実施するための最良の形態】
【００１８】
図１は、本発明の一実施形態による装置１０を示す。この装置１０は、中央処理ユニット（ＣＰＵ）１２と、入力１４と、出力１６と、メモリ１８とを備えている。装置１０は、入力１４に対して外部のソースからそこに通信されるプロビジョニング情報に基づいて構成（コンフィギュレーション）することができる。ＣＰＵ１２は、受信したプロビジョニング情報に含まれたインストラクションを処理し、そしてその情報をメモリ１８に記憶する。装置１０は、電話、パーソナルデジタルアシスタント（ＰＤＡ）、コンピュータ、又は他の電子装置でよい。
【００１９】
図２は、サーバー２２と、ネットワーク２４と、図１のクライアント装置１０と同様のクライアント装置２６とを含むクライアントプロビジョニングシステム２０を示す。クライアント装置２６は、ネットワーク２４を経てサーバー２２と通信する。一実施形態では、クライアント装置２６は、携帯電話のような通信装置であり、そしてネットワーク２４は、ワイヤレス通信ネットワークである。或いは又、クライアント装置２６は、いかなる種類のコンピューティング装置でもよい。
【００２０】
クライアント装置２６は、サーバー２２からネットワーク２４を経てリモート構成することができる。リモート構成又はプロビジョニングプロセスでは、通信会社、装置製造者、又はコーポレート情報技術（ＩＴ）グループが、ネットワーク２４を経てクライアント装置２６へプロビジョニング情報を送信することによりクライアント装置２６を構成することができる。プロビジョニング情報は、アクセスポイント（ＡＰ）情報、又はマルチメディアメッセージングサービス（ＭＭＳ）情報のような情報を含むことができる。
【００２１】
図３は、プロビジョニングコンテンツドキュメント３４を受け取って理解するように構成されたパーサ（ｐｕｒｓｅｒ）３２を含むクライアント装置２６を示している。プロビジョニングコンテンツドキュメント３４は、クライアント装置２６を構成するためのプロビジョニング情報を含む。プロビジョニングコンテンツドキュメント３４は、特性と称される部分に分割される。ＡＰＰＬＩＣＡＴＩＯＮ特性は、アプリケーションプロトコルパラメータを定義すると共に、プロトコルを使用して得られるアプリケーションサービスアクセスポイントの属性を記述するのに使用される。
【００２２】
ＡＰＰＬＩＣＡＴＩＯＮ特性は、装置の構成に関連した多数のパラメータを含む。ルートレベルにおけるＡＰＰＬＩＣＡＴＩＯＮ特性テンプレートの一例は、次の通りである。
2008510332.tif 000003
【００２３】
前記の例では、パラメータＰＲＯＶＩＤＥＲ−ＩＤは、アプリケーション設定のコンテクストを識別する。同じタイプ及び同じＰＲＯＶＩＤＥＲ−ＩＤの多数のアプリケーション設定が装置に与えられる場合には、ＰＲＯＶＩＤＥＲ−ＩＤ値は、装置を構成するに充分な情報をプロセッサに与えるのに充分でないことがある。この点に関して、前記でハイライトしたリンクパラメータは、希望の設定をより特定に識別するために与えられる。
【００２４】
ＲＥＦＩＤ及びＴＯ−ＲＥＦＩＤのようなリンクパラメータは、希望のアプリケーション設定への論理的リンクを生成することができる。この点に関して、ＡＰＰＬＩＣＡＴＩＯＮ特性のＴＯ−ＲＥＦＩＤパラメータには、正確な設定への論理的リンク又はリンクのチェーンを与えることができる。論理的リンクの一例は、図４を参照して以下に説明する。リンクパラメータを個々に詳細に説明する。
【００２５】
ＴＯ−ＲＥＦＩＤパラメータは、２つのＡＰＰＬＩＣＡＴＩＯＮ特性間のリンクとして使用され、ＴＯ−ＲＥＦＩＤが他のＡＰＰＬＩＣＡＴＩＯＮ特性（設定）のＲＥＦＩＤと一致する値をもつような設定は、設定のチェーンを生成する。売主は、それら自身のＴＯ−ＲＥＦＩＤ拡張、及びその拡張を使用するためのガイドを公表することを選択し、サーバーがこれらの売主特有の特徴を容易にサポートし、ひいては、相互運用し易くすることができる。
【００２６】
ＲＥＦＩＤパラメータは、ターミナルに設定のセットを与えるプロビジョニングメッセージのＡＰＰＬＩＣＡＴＩＯＮ特性を識別するのに使用される。１つの構成コンテクストに同じ形式の多数の設定があり、且つ２つ以上の他のアプリケーション設定がこれらの設定を使用する場合には、ＲＥＦＩＤパラメータは、希望の設定を区別的且つ特有に識別するのを許す。
【００２７】
従って、対応する特性におけるＲＥＦＩＤ及びＴＯ−ＲＥＦＩＤの組み合せは、リンクが希望の設定を適切に識別するのを許す。以上の説明は、ＡＰＰＬＩＣＡＴＩＯＮ及びＶＥＮＤＯＲＣＯＮＦＩＧ特性へリンクするための構成体の応用を述べたが、当業者であれば、この構成体は、種々の他の特性にも等しく応用できることが理解されよう。
【００２８】
ＴＯ−ＰＲＯＸＹパラメータは、一致するＰＲＯＸＹ−ＩＤを伴う論理的プロキシーを指す。各アプリケーションは、１つ以上のＴＯ−ＰＲＯＸＹパラメータのリストに対応してもよい。リストの順序は、プロキシーのプライオリティを指してもよい。
【００２９】
ＴＯ−ＮＡＰＩＤパラメータは、一致するＮＡＰＩＤパラメータを伴うネットワークアクセスポイントを指す。多数のＴＯ−ＮＡＰＩＤパラメータを、所与のアプリケーションに対して、個々のネットワークアクセスポイントのプライオリティを示すリスト順序でリストすることができる。１つのＴＯ−ＮＡＰＩＤは、特殊な、予め定義された意味をもつことができる。特に、ＴＯ−ＮＡＰＩＤがＩＮＴＥＲＮＥＴである場合には、定義された属性ＩＮＴＥＲＮＥＴを伴うネットワークアクセスポイントを選択できることを意味する。
【００３０】
図４の例において、ボイス・オーバー・ＩＰ(Voice-over-IP)アプリケーションに対して装置を構成すべき場合には、ＡＰＰＬＩＣＡＴＩＯＮ特性テンプレートに、値“ＶｏｌＰ１”を有するＴＯ−ＲＥＦＩＤパラメータを与えることができる。“ＳＩＰ＊”及び“ＡＰＮ＊”のような更なるリンクを指示するために、多数のＲＥＦＩＤに対応して、ＴＯ−ＲＥＦＩＤのための多数のエントリーを与えることができる。他の実施形態では、ＴＯ−ＲＥＦＩＤパラメータは、“ＶｏｌＰ１、ＳＩＰ＊、ＡＰＮ＊”のようなリンクの完全なチェーンを指示するために一連の値を含むことができる。従って、図４に示すように、装置が、多数のアプリケーション特性と、ネットワークアクセスポイントに対する多数の特性とを含む場合には、各考えられる希望の設定インスタンスへの論理的リンクを指定することができる。
【００３１】
例えば、図４において、パラメータＰＲＯＶＩＤＥＲ−ＩＤは、ＶｏｌＰ２  ４２ｂではなく、ＶｏｌＰ１  ４２ａを使用して、構成を指示するのに充分である。しかしながら、ＰＲＯＶＩＤＥＲ−ＩＤは、希望のセッション開始プロトコル（ＳＩＰ１  ４４ａ又はＳＩＰ２  ４４ｂ）及び希望のネットワークアクセスポイント（ＡＰ１  ４６ａを経てワイヤレスローカルエリアネットワーク、又はＡＰ２  ４６ｂを経てＧＰＲＳ）を識別するには不充分なことがある。この点に関して、パラメータＴＯ−ＲＥＦＩＤの値は、各レベルへの希望のリンクを指示することができる。例えば、パラメータＴＯ−ＲＥＦＩＤは、ＳＩＰ２ないしＡＰ１を使用してＶｏｌＰ１を指定することができる。
【００３２】
ある実施形態では、パラメータＴＯ−ＲＥＦＩＤ及びＰＲＯＶＩＤＥＲ−ＩＤを合併させてもよいことに注意されたい。この点に関して、パラメータＰＲＯＶＩＤＥＲ−ＩＤは、リンク値又はリンク値のチェーンを受け容れるように変更することができる。或いは又、ＰＲＯＶＩＤＥＲ−ＩＤ値は、リンクを通して参照できる独特なグローバル識別子を表わすように変更されてもよい。従って、リンクは、設定の各インスタンスを独特の識別子で表わすことができる。
【００３３】
図５は、リンクを使用するクライアントプロビジョニング方法を例示するフローチャート５０である。別の実施形態では、付加的な、又はより少数の、或いは異なるオペレーションを遂行することができる。
【００３４】
この方法５０は、ワイヤレスネットワークのような通信ネットワークから構成情報を有するプロビジョニングコンテンツドキュメントを装置が受け取るときにスタートする（ブロック５２）。装置は、プロビジョニングコンテンツドキュメントを、加入者設定手順の一部分として、又は既存の加入者に対する構成手順の一部分として、受け取ることができる。
【００３５】
ブロック５４において、装置のプロセッサは、プロビジョニングコンテンツドキュメントを解析（ｐｕｒｓｅ）する。プロビジョニングコンテンツドキュメントは、ＡＰＰＬＩＣＡＴＩＯＮ特性のような複数の特性を含むことができる。プロビジョニングコンテンツドキュメントが解析されると、プロセッサは、希望の設定を識別するように試みることができる。
【００３６】
ある実施形態では、ＡＰＰＬＩＣＡＴＩＯＮ特性テンプレートは、ＰＲＯＶＩＤＥＲ−ＩＤパラメータ及びＴＯ−ＲＥＦＩＤパラメータの両方を含むことができる。このようなケースでは、プロセッサは、同じタイプ及び同じＰＲＯＶＩＤＥＲ−ＩＤの多数の特性が装置に存在するかどうか決定することができる（ブロック５６）。多数の特性が存在しないという決定がなされると、プロセッサは、ブロック６０へ進み、装置を適宜に構成する。多数の特性が存在するという決定がなされると、プロセッサは、ブロック５８へ進む。
【００３７】
他の実施形態では、ＰＲＯＶＩＤＥＲ−ＩＤ及びＴＯ−ＲＥＦＩＤパラメータが合併されてもよい。この点に関して、これらパラメータの一方又は他方がＡＰＰＬＩＣＡＴＩＯＮ特性テンプレートにおいて排除されてもよい。このような実施形態では、プロセッサは、ブロック５６における決定をバイパスし、ブロック５８へ直接進むことができる。
【００３８】
ブロック５８において、プロセッサは、リンクを検査し、それに対応する設定を識別する。上述したように、リンクは、多数のレベルにおいて設定を識別するリンクのチェーンを含むことができる。次いで、プロセッサは、ブロック６０へ進み、装置を適宜に構成する。
【００３９】
従って、リンクは、ＡＰＰＬＩＣＡＴＩＯＮ特性テンプレートのような特性テンプレートの利用性を広げる。
【００４０】
以上の説明において、本発明を完全に理解するために、説明上、多数の特定の細部について述べた。しかしながら、当業者であれば、これら特定の細部を伴わずに、別の実施形態を案出できることが明らかであろう。他の例において、実施形態を容易に説明するために構造及び装置をブロック図で示した。
【００４１】
図示して上述した実施形態は、現在好ましいものであるが、これらの実施形態は、単なる例示に過ぎないことが理解されよう。他の実施形態は、例えば、同じオペレーションを遂行するための異なる技術を含んでもよい。本発明は、特定の実施形態に限定されるものではなく、特許請求の範囲及びその精神に包含される種々の変更、組み合せ及び置き換えへと拡張される。
【図面の簡単な説明】
【００４２】
【図１】本発明の一実施形態による装置の概略図である。
【図２】本発明の一実施形態によるクライアントプロビジョニングシステムの概略図である。
【図３】本発明の一実施形態によるクライアントプロビジョニングクライアントの概略図である。
【図４】本発明の一実施形態によるリンクを使用したクライアントプロビジョニング構成体を示す図である。
【図５】本発明の一実施形態によりリンクを伴うアプリケーション特性テンプレートを使用したクライアントプロビジョニング方法を示すフローチャートである。
【図１】
2008510332.tif 000004
【図２】
2008510332.tif 000005
【図３】
2008510332.tif 000006
【図４】
2008510332.tif 000007
【図５】
2008510332.tif 000008
【国際調査報告】
2008510332.tif 000009
2008510332.tif 000010
2008510332.tif 000011
2008510332.tif 000012